(57)【特許請求の範囲】
【請求項１】
外部と接続中の電話回線を無線を介して子機に中継し、当該子機が外部と当該電話回線で通話中、当該子機からの受信信号レベルが閾値未満である時間が猶予時間を超えた場合に、当該電話回線の外部との接続を切断し、通話を終了させるコードレス電話の親機であって、  前記受信信号レベルが閾値未満であることを示す通知を前記子機に送信する送信手段と、前記子機から前記通知に対する応答として送信される前記猶予時間の延長要求を受信する受信手段と、受信した延長要求に従って前記猶予時間を延長し、当該延長した猶予時間内において前記子機への電話回線の中継を続行させる延長手段とを備えたことを特徴とするコードレス電話の親機。
【請求項２】
前記延長手段は、前記受信手段で延長要求を受信した場合に、前記猶予時間を一定時間だけ延長することを特徴とする請求項１記載のコードレス電話の親機。
【請求項３】
前記延長手段は、前記受信手段で延長要求を受信した場合に、前記猶予時間を無限に延長することを特徴とする請求項１記載のコードレス電話の親機。
【請求項４】
前記コードレス電話の親機は、さらに、前記猶予時間が延長されたことを示す通知を前記子機に送信する送信手段を備えたことを特徴とする請求項１記載のコードレス電話の親機。
【請求項５】
外部と接続中の電話回線を無線を介して子機に中継し、当該子機が外部と当該電話回線で通話中、当該子機からの受信信号レベルが閾値未満である時間が猶予時間内であるときは子機への電話回線の中継を続行し、前記猶予時間を超えた場合に当該電話回線の接続を切断し、通話を終了させる請求項１記載の親機と、無線を介して接続された子機であって、親機から前記受信信号レベルが閾値未満であることを示す通知を受信する受信手段と、前記通知を受信した後に、ユーザから前記猶予時間の延長を指示する操作を受付ける入力手段と、前記入力手段が前記操作を受付けた時に、猶予時間の延長要求を親機に送信する送信手段とを備えたこと特徴とするコードレス電話の子機。
【請求項６】
前記コードレス電話の子機は、さらに、親機から前記猶予時間が延長されたことを示す通知を受信する受信手段と、前記猶予時間が延長されたことをユーザに提示する手段とを備えたことを特徴とする請求項５記載のコードレス電話の子機。
【請求項７】
前記入力手段は、テンキーであって、前記通知を受信した後にのみ、ユーザから前記猶予時間の延長要求の入力を受付けることを特徴とする請求項５記載のコードレス電話の子機。
【発明の詳細な説明】
【０００１】
【発明の属する技術分野】
本発明は、子機が圏外に移動したら、中継している回線を自動的に切断する機能を備えたコードレス電話に関する。
【０００２】
【従来の技術】
従来、コードレス電話では、通話中において、子機が圏内から圏外へ移動した際に、親機側で子機から送られてきた無線信号のレベルが閾値未満である時間が、一定の猶予時間を超えると、回線を強制的に切断することとしている。
従来のコードレス電話における、このような回線の強制切断機能について説明する。
【０００３】
コードレス電話の親機は、通話中に、子機から受信した無線信号の電界強度が第１の閾値未満になった場合に、すなわち、子機が圏内から圏外に移動した場合に、タイマを起動する。そして、親機は、タイマが一定の猶予時間を経過したら、回線の接続をオンフックする。
また、親機は、電界強度が第１の閾値未満となっている間、すなわち、子機が圏外にある間、アラーム音を子機に送信し続ける。
【０００４】
親機は、電界強度が第２の閾値（第１の閾値以上の値）以上になった場合に、すなわち、子機が圏内に移動した場合に、タイマを０にもどす。
なお、このような２つの閾値が設けられているのは、以下の理由による。１つの閾値で圏内外を判定するとした場合に、子機が圏内外の境界付近を移動している際の判定結果として、圏内と圏外がひっきりなしに交代し、その結果あまり意味のない処理の切替えが頻繁に起るのに対して、圏内から圏外へ出たと判定するための第１の閾値と、圏外から圏内に入ったと判定するための第２の閾値を設け、第２の閾値を第１の閾値よりも大きくした場合には、第２の閾値を超えて圏内に戻った後は、すぐには、第１の閾値未満になりにくく、上記した頻繁な切替えを防止できるからである。
【０００５】
このように、親機は、通話中において、子機が圏外に出て、一定の猶予時間が経っても、子機が圏内に戻らない時には、回線を強制的に切断するとともに、子機が圏外にあることをアラーム音で子機に知らせることとしている。
また、コードレス電話の子機では、親機から送られてきたアラーム音をスピーカに出力することとして、ユーザに対して圏外にあり、もうすぐ回線が切断されることを通知するようにしている。
【０００６】
以上のように、従来のコードレス電話では、通話中に、子機が圏内から圏外へ移動した際に、猶予された時間内に子機が圏外から圏内に戻らない場合には、回線を強制的に切断することとして、通話不能にも拘らず、回線を意味なく使用することによって無駄な通話料金がかかることからユーザを保護するとともに、無駄に公衆用の回線が使用されるのを防止している。そして、従来のコードレス電話では、子機が圏外に移動しても、回線を突然切断するのではなく、一定の猶予時間を与えるとともに、猶予時間が進行していることをアラーム音でユーザに知らせることとしている。
【０００７】
【発明が解決しようとする課題】
ところで、子機が圏外に出た時でも、圏内と圏外の境界付近では、音質は悪いが、まったく相手側の音声を聞き取ることができないのではなく、また自分の音声を相手側にまったく伝えることができないものではない。通話状態が悪くても、必要最小限の用件を済ませるには十分な場合がある。
【０００８】
しかしながら、従来のコードレス電話では、ユーザが、圏外で通話状態が悪くても構わないから、通話を続行したい場合であっても、猶予時間が経過したら、回線を強制的に切断してしまう。
また、ユーザは、猶予時間を超えて通話を続行したい場合には、子機を持って、圏内に向って引き返せばよいようにも考えられるが、その際に問題となるのが、子機が圏内から圏外へ移動する時に、圏外に出たと判定するための電界強度の大きさ（第１の閾値）よりも、子機が圏外から圏内へ引き返す時に、圏内に入ったと判定するための電界強度の大きさ（第２の閾値）の方が大きいことである。つまり、子機は、圏内から移動して来た際に圏外と判定された地点よりも、さらに溯って親機に近付かなければ圏内にあると判定されない。その結果、ユーザが、通話の続行を望んでもとの位置に戻った場合にでも、その地点は未だ圏外なので、ユーザは通話の続行を諦めてしまうか、もとの位置よりも、さらに親機に近付くために移動したとしても、圏内に達する前に猶予時間を超えたため、回線が自動的に切断される場合があった。
【０００９】
このように、従来のコードレス電話では、ユーザが通話の続行を希望している場合にでも、ユーザの意思に反して、回線が強制的に切断されることにより、ユーザは必要な用件を済ませることができず、不便極まりなかった。
そこで、本発明は、かかる問題点に鑑みてなされたものであり、無駄な切断と再接続を回避する観点から、子機が圏外にある時間が所定の猶予時間を超えた場合に、自動的に回線を切断する自動切断機能を維持しつつ、ユーザによる通話の続行の要求をも満足することができるコードレス電話を提供することを目的とする。
【００１０】
【課題を解決するための手段】
上記目的を達成するために、本発明は、無線を介して接続された子機の通話中に、子機からの受信信号レベルが閾値未満である時間が猶予時間を超えた場合に、中継している回線をオンフックするコードレス電話の親機であって、前記受信信号レベルが閾値未満であることを示す通知を前記子機に送信する送信手段と、前記子機から、前記通知に対する応答として送信されてくる前記猶予時間の延長要求を受信する受信手段と、前記受信した延長要求に従って、前記猶予時間を延長する延長手段とを備える。
【００１１】
また、本発明は、通話中に、受信信号のレベルが閾値未満である時間が猶予時間を超えた場合に中継している回線をオンフックする親機と、無線を介して接続された子機であって、親機から前記受信信号レベルが閾値未満であることを示す通知を受信する受信手段と、前記通知を受信した後に、ユーザから前記猶予時間の延長を指示する操作を受付ける入力手段と、前記入力手段が前記操作を受付けた時に、猶予時間の延長要求を親機に送信する送信手段とを備える。
【００１２】
また、本発明は、通話中に、無線を介して接続された親機からの受信信号レベルが閾値未満である時間が猶予時間を超えた場合に、中継している回線を親機にオンフックさせるコードレス電話の子機であって、前記猶予時間が開始された後、ユーザから、前記猶予時間の延長を指示する操作を受付ける入力手段と、前記入力手段で受付けられた指示に従って、前記猶予時間を延長する延長手段とを備える。
【００１３】
【発明の実施の形態】
本実施の形態に係るコードレス電話は、子機が圏外に移動した場合に、回線切断までの猶予時間を延長することができるコードレス電話に関する。ここで、猶予時間とは、子機が圏外に出た後、回線が切断されるまでの時間であって、一律に付与される一定時間、又は延長がなされた場合には、一律に付与される一定時間と延長時間とを足しあわせたものをいう。
【００１４】
従来のコードレス電話でも、子機が圏外に移動した場合に、回線が切断されるまでに、一律に一定の猶予時間が与えられているが、圏内外の境界付近では、多少、音質は落ちるが、相手側の音声を聞き取ること、及び自分の音声を伝える上では支障がない場合があり、そのような場合には、ユーザは、一律に与えられる猶予時間を超えて通話を続行したい場合がある。
【００１５】
そこで、本実施の形態に係るコードレス電話では、ユーザの要求に応じて、一律に与えられる猶予時間を延長した猶予時間を与えることができるようにしたもものである。
以下、本発明の実施の形態について図面を用いて説明する。
＜構成＞
図１は、本実施の形態に係るコードレス電話の構成を示す機能ブロック図である。同図に示されるように、本実施の形態に係るコードレス電話の親機１２０は、アンテナ１０１と、ＲＦ部１０２と、ベースバンド部１０３と、制御部１０４と、Ｈｏｏｋスイッチ１０５とからなる。
【００１６】
アンテナ１０１は、子機１３０との間で、無線信号の送信及び受信を行う。
ＲＦ部１０２は、ベースバンド部１０３から送られたベースバンド信号を無線信号へ変調するともに、アンテナ１０１から送られた無線信号をベースバンド信号に復調する。また、ＲＦ部１０２は、検出器１３１を備えており、検出器１３１は、アンテナ１０１で受信した無線信号から電界強度を測定し、電界強度を示す信号を制御部１０４に送る。ＲＦ部１０２は、復調したベースバンド信号を受信データとして制御部１０４へ送る。
【００１７】
ベースバンド部１０３は、無線伝送のために音声信号をベースバンド処理して、ベースバンド信号を生成して、ＲＦ部１０２に出力するとともに、ＲＦ部１０２から送られてくるベースバンド信号をもとの音声信号に変換して音声信号を公衆電話網１４０に送出する。ここで、アラーム音がベースバンド処理されて、ＲＦ部１０２に送られる。
【００１８】
制御部１０４は、電界強度を示す信号が第１の閾値未満になった場合に、すなわち、子機が圏内から圏外へ出た場合に、タイマを起動し、タイマが猶予時間を経過したら、Ｈｏｏｋスイッチ１０５を指示して、回線をオンフックさせる。そして、本実施の形態の最も特徴的なところであるのだが、制御部１０４は、猶予時間の延長を要求するデータがＲＦ部１０２より送られてきた場合には、猶予時間を延長する。また、制御部１０４は、電界強度を示す信号が第１の閾値未満ｘの場合に、すなわち、子機が圏外にある場合に、ベースバンド部１０３を指示して、アラーム音を出力させることによって、子機が圏外にあることをユーザに知らせる。また、制御部１０４は、電界強度を示す信号が第２の閾値（第１の閾値以上の値）以上になった場合に、すなわち、子機が圏外から圏内に戻った場合に、タイマを０にもどす。
【００１９】
Ｈｏｏｋスイッチ１０５は、制御部１０４からの指示を受けて、回線をオンフックする。すなわち、Ｈｏｏｋスイッチ１０５は、公衆電話網１４０への回線の接続を切断する。
本実施の形態に係るコードレス電話の子機１３０は、アンテナ１０６と、ＲＦ部１０７と、ベースバンド部１０８と、制御部１０９と、延長キースイッチ１１０と、マイク１１１と、スピーカ１１２とからなる。
【００２０】
アンテナ１０６は、親機１２０との間で、無線信号の送信及び受信を行う。
ＲＦ部１０７は、ベースバンド部１０８から送られたベースバンド信号を無線信号へ変調するとともに、アンテナ１０６から送られてきた無線信号をベースバンド信号に復調する。また、ＲＦ部１０７は、制御部１０９から送られてきた回線切断までの猶予時間の延長要求のデータを無線信号に変調する。
【００２１】
ベースバンド部１０８は、無線伝送のために音声信号をベースバンド信号に変換して、ＲＦ部１０７に出力するとともに、ＲＦ部１０７から送られたベースバンド信号をもとの音声信号にもどし、音声信号をスピーカ１１２に出力する。また、ベースバンド部１０３は、ベースバンド信号で表されたアラーム音を音声信号に変換する。
【００２２】
延長キースイッチ１１０は、ユーザ操作により、回線切断までの猶予時間の延長要求の入力を受け付けて、延長要求を制御部１０９に出力する。
制御部１０９は、延長キースイッチ１１０から回線切断までの猶予時間の延長要求が送られてくると、マイク１１１から入力される音声信号をベースバンド部１０８を指示して、一時的にミュートするとともに、猶予時間の延長を要求するデータをＲＦ部１０７に出力する。
【００２３】
マイク１１１及びスピーカ１１２は、音声信号の入力、出力を行う。スピーカ１１２は、アラーム音を出力する。
＜動作＞
次に、本実施の形態に係るコードレス電話の動作を説明する。図２は、コードレス電話の親機の動作手順を示すフローチャートである。
【００２４】
まず、制御部１０４は、通話開始後、タイマｔを０に設定する（ステップＳ２０１）。
ＲＦ部１０２は、電界強度を測定し、電界強度を示す信号を制御部１０４に送る。そして、制御部１０４は、電界強度を示す信号が第２の閾値以上なら、子機が圏内に戻ったと判定し、タイマｔを０にもどす（ステップＳ２０２、Ｓ２０１）。
【００２５】
制御部１０４は、電界強度を示す信号が第１の閾値未満なら、子機が圏外にあると判定し、ベースバンド部１０３を指示してアラーム音を出力させる（ステップＳ２０２、Ｓ２０３）。
ＲＦ部１０２は、子機から回線切断までの猶予時間の延長要求のデータを受信した場合には、制御部１０４に、そのデータを送る。制御部１０４は、タイマｔをｔ２時間（例えば、１分間）だけ遅らせ、ステップＳ２０２にもどる（ステップＳ２０４、Ｓ２０５）。
【００２６】
また、ＲＦ部１０２で、子機から回線切断までの猶予時間の延長要求のデータを受信しない場合には、制御部１０４は、タイマｔをΔｔ時間だけインクリメントする（ステップＳ２０４、Ｓ２０６）。
制御部１０４は、タイマｔが猶予時間ｔ１（例えば、１分間）未満なら、ステップＳ２０２にもどる（ステップＳ２０７、Ｓ２０２）。
【００２７】
制御部１０４は、タイマｔが猶予時間ｔ１以上となった場合には、Ｈｏｏｋスイッチ１０５を指示して、回線をオンフックさせる。すなわち、通話の終了信号を公衆電話網１４０に送信して、回線の接続を切断させる（ステップＳ２０８）。
以上のように、本実施の形態に係るコードレス電話では、子機１３０の延長キースイッチ１１０を通じて、ユーザから回線切断までの猶予時間の延長要求が入力され、その延長要求が親機１２０に送られ、親機１２０では、子機から送られた回線切断までの猶予時間の延長要求に基づいて、回線切断までの猶予時間を延長することができるので、ユーザが回線の接続が切断されるまでに、一律に与えられる以上の猶予時間を望む場合に、当該要求に応えることができる。
【００２８】
以上、本発明に係るコードレス電話について説明したが、本発明は、上記の実施形態に限定されないことは勿論である。すなわち、
（１）本実施の形態に係る子機１３０の延長キースイッチ１１０から回線切断までの猶予時間の延長要求があると、親機１２０の制御部１０４は、常に一定のΔｔ時間だけ、タイマを遅らせるものとしたが、これに限定するものではない。
【００２９】
ユーザ操作によって、親機１２０の制御部１０４に対して、予め、Δｔ時間を任意に設定入力しておくことができるものとしてもよい。
あるいは、回線切断までの猶予時間の延長要求があると、ユーザから指示があるまでは、タイマを停止させる、つまり、猶予時間を無限に延長するものとしてもよい。
【００３０】
また、延長キースイッチは、複数のキースイッチ群からなり、いずれのキーが操作されたかが子機１３０から親機１２０に伝えられ、親機１２０の制御部１０４は、いずれのキーが操作されたかによって、延長する時間を変えるものとしてもよい。例えば、キースイッチ「１」を入力すれば、猶予時間を１分間延長するものとし、キースイッチ「２」を入力すれば、猶予時間を２分間延長するものとしてよい。これによって、親機は、ユーザからの回線切断までの猶予時間の延長を要求する延長時間を示す情報を受信して、要求された延長時間だけ猶予時間を延長するので、ユーザは、その時の状況に応じて、延長する時間を任意に選択することができる。
（２）本実施の形態に係る子機１３０の延長キースイッチ１１０からの回線切断までの猶予時間の延長要求は、通話中、何度でも認められるものとしたが、これに限定するものではなく、延長回数に一定の制限を設けてもよい。例えば、一通話中に、子機１３０から１０回以上の延長要求があった場合には、親機の制御部１０４は、１０回以上の猶予時間の延長はしないものとしてもよい。
（３）本実施の形態では、親機１３０で、子機１３０からの延長要求に従って、回線切断までの猶予時間を延長した場合でも、子機には延長されたか否かが通知されるものではなかったが、これに限定するものではない。子機から回線切断までの猶予時間の延長要求が親機に確実に届くという保証がない場合等には、例えば、親機１３０で回線の接続を延長した時には、圏外を検知してから以降、子機に送信し続けているアラーム音の大きさ、高さ、周期等を変化させることによって、回線切断までの猶予時間が延長されたことを子機に通知するものとしてもよい。
（４）本実施の形態に係る親機のベースバンド部１０３が出力する子機に圏外であることを知らせるアラーム音の大きさと周期は一定としたが、これに限定するものではなく、時間経過とともに変化させるものとしてもよい。例えば、回線を切断する１０秒前には、アラーム音の大きさを大きく、周期を短くするものとして、回線の切断をユーザに予告するものとしてもよい。
（５）本実施の形態に係る制御部１０９は、回線切断までの猶予時間の延長要求を親機に伝える際には、マイク１１１から入力される音声信号を一時的にミュートして、猶予時間の延長要求データのみを送信することとしたが、これに限定するものではなく、マイク１１１から入力される音声信号と回線切断までの猶予時間の延長要求データとを合成してベースバンド信号として送信し、親機のベースバンド部１０３で、ベースバンド信号から音声信号と回線切断までの猶予時間の延長要求データとを分離するものとしてもよい。
（６）本実施の形態に係る子機１３０の延長キースイッチ１１０は、専用のキーとしたが、これに限定するものではない。例えば、子機１３０が元々備えているテンキーを延長キースイッチとしても用いることとし、子機１３０では、親機１２０から送られるアラーム音のパターンを他の音声のパターンと識別できるものとし、アラーム音を受信した以降（つまり、圏外と判定された後）は、テンキーは、ダイヤル等の通常の入力を受付けるのではなく、延長要求のための入力を受付けるものとしてもよい。
（７）本実施の形態では、親機１２０のＲＦ部１０２は、子機１３０から送信された無線信号から電界強度を測定し、その電界強度を示す信号を生成して、制御部１０４に送り、制御部１０４は、この電界強度を示す信号の大きさより、子機１３０が圏外にあるか否かを判定するものとしたが、これに限定するものではなく、子機１３０でその子機１３０が圏外にあるか否かを判定するものとしてもよい。すなわち、子機１３０のＲＦ部１０７で、親機１２０から送信された無線信号から電界強度を測定し、その電界強度を示す信号を生成して、制御部１０９に送り、制御部１０９は、この電界強度を示す信号の大きさより、子機１３０が圏外にあるか否かを判定するものとしてもよい。
（８）本実施の形態では、コードレス電話への適用について説明したが、これに限定するものではなく、ＰＨＳや携帯電話などにも適用できることはもとよりである。この場合、基地局がコードレス電話の親機の役割を果たす。すなわち、基地局は、ＰＨＳ端末等が所定の猶予時間、圏外にある場合に、そのＰＨＳ端末等が中継している回線をオンフックし、また、ＰＨＳ端末等から回線切断までの猶予時間の延長要求を受け付けて、回線切断までの猶予時間を延長するものとしてもよい。
【００３１】
【発明の効果】
以上の説明から明らかなように、本発明は、無線を介して接続された子機の通話中に、子機からの受信信号レベルが閾値未満である時間が猶予時間を超えた場合に、中継している回線をオンフックするコードレス電話の親機であって、前記受信信号レベルが閾値未満であることを示す通知を前記子機に送信する送信手段と、前記子機から、前記通知に対する応答として送信されてくる前記猶予時間の延長要求を受信する受信手段と、前記受信した延長要求に従って、前記猶予時間を延長する延長手段とを備えたことを特徴とする。
【００３２】
これによって、子機が圏外にある時に、子機から回線切断までの猶予時間の延長要求を受信して、回線切断までの猶予時間を延長するので、ユーザは、回線接続が切断されるまでの延長された猶予時間内に必要な用件を相手側に伝えることができる。
ここで、前記延長手段は、前記受信手段で延長要求を受信した場合に、前記猶予時間を一定時間だけ延長することを特徴とすることができる。
【００３３】
これによって、親機は、子機から回線切断までの猶予時間の延長要求を受信して、一定時間、猶予時間を延長するので、ユーザは、一定時間延長された猶予時間を利用して、必要な用件を相手側に伝えることができる。
また、前記延長手段は、前記受信手段で延長要求を受信した場合に、前記猶予時間を無限に延長することを特徴とすることもできる。
【００３４】
これによって、親機は、子機から回線切断までの猶予時間の延長要求を受信したら、ユーザ自らがオンフックするまで回線が切断されないので、ユーザが長時間の延長を望む場合に、何度も延長要求のためのキー操作をする不便をなくすことができる。
また、前記コードレス電話の親機は、さらに、前記猶予時間が延長されたことを示す通知を前記子機に送信する送信手段を備えたことを特徴とすることもできる。
【００３５】
これによって、子機からの回線切断までの猶予時間の延長要求が親機で受理されたことを子機に送信するので、ユーザは、残された接続時間を考慮して通話をすることができる。
また、本発明は、通話中に、受信信号のレベルが閾値未満である時間が猶予時間を超えた場合に中継している回線をオンフックする親機と、無線を介して接続された子機であって、親機から前記受信信号レベルが閾値未満であることを示す通知を受信する受信手段と、前記通知を受信した後に、ユーザから前記猶予時間の延長を指示する操作を受付ける入力手段と、前記入力手段が前記操作を受付けた時に、猶予時間の延長要求を親機に送信する送信手段とを備えたこと特徴とする。
【００３６】
これによって、子機は、ユーザから、回線切断までの猶予時間の延長要求の入力を受付けて、親機へ送信するので、親機側で回線の接続が延長されることによって、ユーザは、回線切断までに時間的余裕をもつことができる。
ここで、前記コードレス電話の子機は、さらに、親機から前記猶予時間が延長されたことを示す通知を受信する受信手段と、前記猶予時間が延長されたことをユーザに提示する手段とを備えたことを特徴とすることができる。
【００３７】
これによって、子機は、回線切断までの猶予時間の延長の要求が受理されたことを親機から受信し、その旨をユーザに提示するので、ユーザは、残された接続時間を考慮して通話をすることができる。
ここで、前記入力手段は、テンキーであって、前記通知を受信した後にのみ、ユーザから前記猶予時間の延長要求の入力を受付けることを特徴とすることもできる。
【００３８】
これによって、圏外にあることを受信した後は、子機が、元々備えているテンキーを、延長要求のための入力手段として併用することができるので、特別に新たな専用のキーを設けなくてもよく、子機のスペース面での効率化が図れる。
また、本発明は、通話中に、無線を介して接続された親機からの受信信号レベルが閾値未満である時間が猶予時間を超えた場合に、中継している回線を親機にオンフックさせるコードレス電話の子機であって、前記猶予時間が開始された後、ユーザから、前記猶予時間の延長を指示する操作を受付ける入力手段と、前記入力手段で受付けられた指示に従って、前記猶予時間を延長する延長手段とを備えたことを特徴とする。
【００３９】
これによって、子機が圏外にある場合に、子機自らが圏外か否かを判定して、圏外の場合に、回線の切断を親機に指示するような場合でも、子機側で、回線の接続を延長することができる。
以上のように、本発明によれば、子機が圏外に移動した後、一律に付与される猶予時間が経過したら、ユーザの意思に反して回線が強制的に切断されるのを防ぎ、コードレス電話を使用するユーザの利便性に供することができるので、その実用的効果は極めて大きい。
【図面の簡単な説明】
【図１】実施の形態に係るコードレス電話の構成を示す機能ブロック図である。
【図２】実施の形態に係るコードレス電話の親機の動作手順を示すフローチャートである。
【符号の説明】
１０１    アンテナ
１０２    ＲＦ部
１０３    ベースバンド部
１０４    制御部
１０５    Ｈｏｏｋスイッチ
１０６    アンテナ
１０７    ＲＦ部
１０８    ベースバンド部
１０９    制御部
１１０    延長キースイッチ
１１１    マイク
１１２    スピーカ
１２０    親機
１３０    子機
１４０    公衆電話網
【図１】
0003806553.tif 000002
【図２】
0003806553.tif 000003